(57)【要約】【課題】消費電力の削減による省エネルギーがひと目で確認できる節電制御装置を提供すること。【解決手段】デマンド制御装置とコンプレッサーを備えてなる電力消費装置との間に設けられる節電制御装置Ｉにおいて、前記コンプレッサーの実稼働時間の累計を表示する表示器７と該コンプレッサーの稼働を制御した時間の累計を表示する表示器８、電子部品搭載プリント回路基板４、及び端子台を収納した筐体１、並びに該筐体に嵌合し少なくとも該二つの表示器と対向する面が透明である蓋体２を有する節電制御装置。前記蓋体の内周面の溝には、ガスケットが設けられている。また前記電子部品搭載プリント回路基板４、及び端子台は、架台に懸架されている。【選択図】　図１
0003099371.tif 000002
【実用新案登録請求の範囲】
【請求項１】
コンプレッサーを備えてなる電力消費装置のための節電制御装置において、筐体及び該筐体に嵌合する蓋体から形成されるケーシング内に前記コンプレッサーの実稼働時間の累計を表示する表示手段と該コンプレッサーの稼働を制御した時間の累計を表示する表示手段及び電子部品搭載プリント回路基板を収納し、且つ該二つの表示手段が外部から観察可能な構造となっていることを特徴とする節電制御装置。
【請求項２】
前記ケーシング内に端子台を収納することを特徴とする請求項１記載の節電制御装置。
【請求項３】
デマンド制御装置とコンプレッサーを備えてなる電力消費装置との間に設けられる節電制御装置において、前記コンプレッサーの実稼働時間の累計を表示する表示器と該コンプレッサーの稼働を制御した時間の累計を表示する表示器、電子部品搭載プリント回路基板、及び端子台を収納した筐体、並びに該筐体に嵌合し少なくとも該二つの表示器と対向する面が透明である蓋体を有することを特徴とする節電制御装置。
【請求項４】
防水構造となっていることを特徴とする請求項１乃至３のいずれか１項記載の節電制御装置。
【請求項５】
前記蓋体が内周面に形成された環状溝にガスケットを有することを特徴とする請求項４記載の節電制御装置。
【請求項６】
前記電子部品搭載プリント回路基板は中空部が形成された架台に懸架され、前記端子台が該中空部に配設された構造であることを特徴とする請求項２乃至５のいずれか１項記載の節電制御装置。
【考案の詳細な説明】
【０００１】
【考案の属する技術分野】
本考案は節電制御装置に関し、詳しくは空調設備、冷凍設備、冷蔵設備、冷却設備等のコンプレッサーを備えてなる電力消費装置において消費される電力を削減し、省エネルギー化の達成を図る節電制御装置に関する。
【０００２】
【従来の技術】
消費電力を削減し、省エネルギー化を達成することは地球温暖化対策に大いに貢献するばかりでなく、コスト削減にも寄与し得る。空調設備、冷凍設備、冷蔵設備、冷却設備等のコンプレッサーを備えてなる電力消費装置に対する消費電力を削減しコスト削減することは数多く提案されている。例えば、消費電力の総合的省エネルギー化を達成することを目的とした、空調設備、冷凍設備、原動機設備及び照明設備に関する時間差制御によって順位制御を行うように設定したリレー・タイマー盤を備えて成る節電制御盤をデマンド制御装置に接続して消費電力のスケジュール制御とピークカット制御を行うことにより消費電力及び契約電力を低減するようにした節電制御装置（特許文献１参照）、冷蔵庫などに設ける冷却装置における冷却器用電動機が連続運転しないように制御することにより、電力消費を少なくし、節電すると共に、冷却器用電動機の運転時間が少なくなり、冷却器用電動機の寿命の信頼性を高める制御装置（特許文献２参照）、空調設備、冷凍設備、原動機設備、照明設備等の複数の電力消費装置において消費される総合的な電力の削減、総合的な省エネルギー化の達成を図ることを目的に、デマンド制御装置からの信号を受けて、前記複数の電力消費装置への電力の供給を順位づけて制御するリレーと、あらかじめ定められている時間ごとに前記複数の電力消費装置への電力の供給を制御するタイマーとを備えている節電制御装置（特許文献３参照）、業務用冷温蔵庫から物を取り出す人の動きを人体感知センサーで感知しプログラム化されたマイクロコンピュータの庫内温度管理で、最適温度に自動制御を行い、電力通電を最小限化する業務用冷温蔵庫の節電装置（特許文献４参照）、等が提案されている。
【０００３】
【特許文献１】
特開２００１−１９７６６１号公報
【特許文献２】
特開平１１−２５７８２１号公報
【特許文献３】
特開２００３−２３７２９号公報
【特許文献４】
実用新案登録第３０７７３０８号公報
【０００４】
【考案が解決しようとする課題】しかしながら、これらの特許文献には、節電制御装置ないしは節電装置がどのような構造の装置になっているかについては具体的な開示ないしは示唆はない。消費電力の削減による省エネルギー化は、一個人、一企業のひとつひとつの努力が重要であり、それが地球規模の環境保護に結びついていく。この努力を促すためには、目に見えない電気を、目に見える形でその使用量ないしは節電量を把握できることが重要である。しかも、これは、容易にできる方法でなければならい。したがって、本考案は、以上のことに鑑みてなされたものであって、消費電力の削減による省エネルギーがひと目で確認できる節電制御装置を提供することを第一の目的とする。また、本考案に係る節電制御装置を屋外に設置する場合は、風雨、塵埃に晒されることが多い。雨や埃は電子部品搭載プリント回路基板に悪影響を及ぼす。したがって、本考案は、第一の目的に加え、防水・防塵対策が取られた節電制御装置を提供することを第二の目的とする。さらに、本考案に係る節電制御装置は空調設備、冷凍設備、冷蔵設備、冷却設備等のコンプレッサーを備えてなる電力消費装置に後付けで設置工事をすることが多い。したがって、本考案は、前記第一及び第二の目的に加え、設置工事のし易い節電制御装置を提供することを第三の目的とする。
【０００５】
【課題を解決するための手段】請求項１記載の節電制御装置は、コンプレッサーを備えてなる電力消費装置のための節電制御装置において、筐体及び該筐体に嵌合する蓋体から形成されるケーシング内に前記コンプレッサーの実稼働時間の累計を表示する表示手段と該コンプレッサーの稼働を制御した時間の累計を表示する表示手段及び電子部品搭載プリント回路基板を収納し、且つ該二つの表示手段が外部から観察可能な構造となっていることを特徴とする。コンプレッサーの実稼働時間の累計を表示する表示手段と該コンプレッサーの稼働を制御した時間の累計を表示する表示手段は筐体に収納されていても、蓋体に一体的に形成されていてもよい。請求項２記載の節電制御装置は、請求項１記載の節電制御装置において、ケーシング内にさらに端子台を収納することを特徴とする。請求項３記載の節電制御装置は、デマンド制御装置とコンプレッサーを備えてなる電力消費装置との間に設けられる節電制御装置において、前記コンプレッサーの実稼働時間の累計を表示する表示器と該コンプレッサーの稼働を制御した時間の累計を表示する表示器、電子部品搭載プリント回路基板、及び端子台を収納した筐体、並びに該筐体に嵌合し少なくとも該二つの表示器と対向する面が透明である蓋体を有することを特徴とする。
【０００６】
請求項１記載の節電制御装置は、ケーシング内にコンプレッサーの実稼働時間の累計を表示する表示手段とコンプレッサーの稼働を制御した時間の累計を表示する表示手段を収納していること、また、これらの二つの表示手段が外部から観察可能な構造となっていること、が大きな特徴である。また、請求項３記載の節電制御装置は、表示器として少なくとも二つの表示器、すなわち、コンプレッサーの実稼働時間の累計を表示する表示器とコンプレッサーの稼働を制御した時間の累計を表示する表示器を収納していること、また、これらの二つの表示器が外部から観察できるように蓋体の少なくともこれら二つの表示器が対向する面が透明であること、が大きな特徴である。このように、本考案に係る節電制御装置は、外部から表示器を観察できる構成になっているので、消費電力の削減による省エネルギーをひと目で確認することができる。請求項４記載の節電制御装置は、請求項１乃至３のいずれか１項記載の節電制御装置において、防水構造となっていることを特徴とする。防水構造とすることにより、節電制御装置は外部からの雨水や塵埃などの侵入を防ぐことができるので、これらが原因となる故障を防ぐことができる。蓋体又は筐体若しくは両者を防水構造とすることができる。
【０００７】
請求項５記載の節電制御装置は、請求項４記載の節電制御装置において、前記蓋体が内周面に形成された環状溝にガスケットを有することを特徴とする。このような構成にすることにより簡単な構造で外部からの雨水や塵埃などの侵入を防ぐことができる。請求項６記載の節電制御装置は、請求項２乃至５のいずれか１項記載の節電制御装置において、前記電子部品搭載プリント回路基板は中空部が形成された架台に懸架され、前記端子台が該中空部に配設された構造であることを特徴とする。電子部品搭載プリント回路基板は中空部が形成された架台に懸架するようにしたので、その中空部に端子台を配設することができる。したがって、配線作業が容易となり設置工事がし易いという利点がある。
【０００８】
【考案の実施の形態】以下、図面に基づいて本考案を説明する。図１は本考案に係る節電制御装置の一実施形態を示す斜視図である。図１に示すように、節電制御装置Ｉは、蓋体２の上面２１を通してコンプレッサーの実稼働時間の累計を表示する表示器８とコンプレッサーの稼働を制御した時間の累計を表示する表示器７を外部から観察することができる構造になっている。図２は、図１に示す節電制御装置Ｉの展開図である。筐体１には、電子部品搭載プリント回路基板４、コンプレッサーの実稼働時間の累計を表示する表示器８、コンプレッサーの稼働を制御した時間の累計を表示する表示器７、及び端子台６が収納されている。図２に示す節電制御装置Ｉは、コンプレッサーの実稼働時間の累計を表示する表示器８及びコンプレッサーの稼働を制御した時間の累計を表示する表示器７は、Ｌ形状の支持部材５で支持されている。また、電子部品搭載プリント回路基板４は、中空部が形成された架台３にビスで懸架された状態で収納された構造となっているので、その中空部に端子台６を配設することができる。
【０００９】
電子部品搭載プリント回路基板４には、コンプレッサーの実稼働時間の累計を表示する表示器８及びコンプレッサーの稼働を制御した時間の累計を表示する表示器７からリード線（図示せず）が接続されている。端子台６の一方の端子片には、電子部品搭載プリント回路基板４からの複数のリード線（図示せず）が接続されている。また、デマンド制御装置とコンプレッサーを備えてなる電力消費装置からのリード線（図示せず）は、筐体１の側部に形成された複数の切欠部９の任意の一つを開穴し、端子台６の他方の端子片に接続されるようになっている。複数の切欠部９のどこを開穴するかは、節電制御装置Ｉの設置場所によって最適箇所が決まってしまう。本考案の好ましい態様によれば、電子部品搭載プリント回路基板４は、中空部が形成された架台３に懸架された状態で収納された構造となっているので、その中空部の任意の位置に端子台６を配設することができる。したがって、切欠部９の開穴の位置に応じて端子台６の配設場所を自由に決めることができ、配線作業が容易となり設置工事がし易くなる。また、開穴した切欠部９には防水・防塵対策用のコネクタを使用することが好ましい。
【００１０】
コンプレッサーの実稼働時間の累計を表示する表示器８とコンプレッサーの稼働を制御した時間の累計を表示する表示器７、電子部品搭載プリント回路基板４、及び端子台６を収納した筐体１に蓋体２を嵌合し、蓋体２の４隅のネジ穴１０及び筐体１の４隅のネジ穴１１にそれぞれネジ１２を貫通させて、本考案に係る節電制御装置Ｉを空調設備、冷凍設備、冷蔵設備、冷却設備等のコンプレッサーを備えてなる電力消費装置の室外機等（図示せず）に固定する。あるいは、筐体１を電力消費装置の室外機等にネジ１２とは別のビス等で先に固定し、蓋体２を嵌合した後、蓋体２と筐体１をネジ１２で固定することもできる。
【００１１】
筐体１を構成する主要材料としては、ポリエチレン（ＰＥ）、ポリスチレン（ＰＳ）、ＡＢＳ樹脂等の汎用プラスチック、ポリアミド（ＰＡ）、ポリカーボネート（ＰＣ）、ポリアセタール（ＰＯＭ）、ポリブチレンテレフタレート（ＰＢＴ）等のエンジニアリング・プラスチックが挙げられる。これらは透明であっても顔料等を混入させ不透明としてもよい。また、アルミニウム、鉄等の金属であってもよい。一方、蓋体２は少なくとも二つの表示器と対向する面２１が透明でなければならない。通常は蓋体として射出成形するので蓋体２全体が透明なプラスチックが好ましく、例えば、アクリル樹脂やポリカーボネート樹脂等が挙げられる。
【００１２】
図３は、内側から見た蓋体２の斜視図である。蓋体２はその内周面に筐体１に嵌合する突起状端１２が形成されており、突起状端１２に沿って形成された環状溝（図示せず）にガスケット１３が設けられている。ガスケット素材としてはＯリングでもシリコーン発泡体のようなガスケット発泡体でもよい。本考案に係る節電制御装置は防水・防塵対策が施されていることが好ましく、特にＩＰ−６５保護等級をクリアするレベルであることが好ましい。この観点から、ガスケット素材としては、シリコーン発泡体のようなガスケット発泡体が好ましく、例えば、特開平６−９９５０９号公報に記載のシリコーン発泡体の製造装置を利用することにより効率よく、ガスケットが設けられた蓋体を製作することができる。図面では、蓋体２と筐体１は別体構造となっているが、例えば、丁番で蓋体２と筐体１を固定した一体構造としてもよい。
【００１３】
以上の実施形態では、表示器としてコンプレッサーの実稼働時間の累計を表示する表示器とコンプレッサーの稼働を制御した時間の累計を表示する表示器の二種類の表示器であるが、例えば、空調設備等のように室内にコントロールパネルがある場合には、コントロールパネルをオンしている時間の累計を表示する表示器を設けることもできる。この場合でも、この第３の表示器は外部から観察できるようにすることが好ましい。
【００１４】
次に、本考案に係る節電制御装置の利用例を示す。本考案に係る節電制御装置を業務用空調機（コンプレッサーの容量５．５ｋＷ）の屋外機に設置した。端子台の配設の自由度が大きいので、極めて短時間で設置工事が完了した。２００３年６月２４日に設置し、同年７月７日に調査した。コンプレッサーの実稼働時間の累計を表示する表示器は２４．３時間を表示しており、コンプレッサーの稼働を制御した時間の累計を表示する表示器は１１．９時間を表示していた。これらの数値から、制御率は３２．９％であることが容易に算出することができる。また、本考案に係る節電制御装置はＩＰ−６５保護等級の防水・防塵対策が施されているので、雨水や塵埃などの侵入による影響は全くなかった。
【００１５】
【考案の効果】本考案に係る節電制御装置は、表示器として少なくとも二種類の表示器、すなわち、コンプレッサーの実稼働時間の累計を表示する表示器とコンプレッサーの稼働を制御した時間の累計を表示する表示器を内蔵し、またこれらの二つの表示器が外部から観察できるように蓋体の少なくともこれら二つの表示器が対向する面を透明とし、外部からこれら二つの表示器を観察できる構成になっているので、消費電力の削減による省エネルギーをひと目で確認することができるという効果を奏する。また、本考案に係る節電制御装置は、蓋体が内周面に形成された環状溝にガスケットが設けられた蓋体であるので、節電制御装置は外部からの雨水や塵埃などの侵入を防ぐことができるので、これらが原因となる故障を防ぐことができるという効果を奏する。さらに、本考案に係る節電制御装置は、電子部品搭載プリント回路基板は中空部が形成された架台に懸架され、端子台が中空部に配設された構造であるので、配線作業が容易となり設置工事がし易いという効果を奏する。
【図面の簡単な説明】
【図１】本考案に係る節電制御装置の一実施形態を示す斜視図である。
【図２】図１に示す節電制御装置の展開図である。
【図３】内側から見た蓋体の斜視図である。
【符号の説明】
Ｉ　節電制御装置
１　筐体
２　蓋体
２１　表示器と対向する蓋体の面
３　中空部が形成された架台
４　電子部品搭載プリント回路基板
６　端子台
７、８　表示器
【図１】
0003099371.tif 000003
【図２】
0003099371.tif 000004
【図３】
0003099371.tif 000005